(57)【要約】【課題】簡素化した構造かつ低コストで確実に塵埃捕集手段の除塵を実現できる除塵手段を備えた電気掃除機を提供することを目的とする。集塵部を加振することにより除塵する除塵手段を備えた電気掃除機において、簡素化した構造による低コストで確実な除塵構造を提供することを目的とする。【解決手段】吸引風を発する電動送風機１２と、吸引した塵埃を捕集する塵埃捕集手段５１を有する集塵部１８と、前記塵埃捕集手段５１の除塵を行う除塵手段５３と、前記電動送風機１２、前記集塵部１８、前記除塵手段５３を有する本体１とを備え、前記集塵部１８は前記本体１から着脱自在であるとともに、前記集塵部１８を前記本体１に装着および／または前記本体１から取り出す動作に連動して、前記除塵手段５３が前記塵埃捕集手段５１の除塵を行うものである。【選択図】  図２
2004358031.tif 000002
【特許請求の範囲】
【請求項１】
吸引風を発する電動送風機と、前記電動送風機の吸気上流側に配設され、吸引した塵埃を捕集する塵埃捕集手段を有する集塵部と、前記塵埃捕集手段の除塵を行う除塵手段と、前記電動送風機、前記集塵部、前記除塵手段を有する本体とを備え、前記集塵部は前記本体から着脱自在であるとともに、前記集塵部を前記本体に装着および／または前記本体から取り出す動作に連動して、前記除塵手段が前記塵埃捕集手段の除塵を行う電気掃除機。
【請求項２】
塵埃捕集手段はプリーツ状からなる濾材からなるとともに、集塵部を本体に装着および／または本体から取り出すときに、除塵手段が前記プリーツの少なくとも凸部に接触し前記塵埃捕集手段を振動させることで、前記塵埃捕集手段の除塵を行う請求項１記載の電気掃除機。
【請求項３】
プリーツは、集塵部の本体からの着脱方向に対して略垂直方向に形成され、除塵手段は、前記濾材に対向する位置で、かつ、集塵部の本体からの取り出し方向側のプリーツの凸部よりさらに前記取り出し方向側に設けられてなる請求項２記載の電気掃除機。
【請求項４】
集塵部の本体からの着脱方向に摺動可能に、除塵手段はガイド体に取着され、本体には前記除塵手段に係合する保持部を設けた請求項２記載の電気掃除機。
【請求項５】
集塵部の本体からの着脱方向に回転可能に形成されたベルトに除塵手段を少なくとも１個所以上設け、本体には前記ベルトを回転させる固定部を設けた請求項２記載の電気掃除機。
【請求項６】
受振部をプリーツ部に取着し、集塵部を本体に装着および／または本体から取り出すときに前記受振部に接触する除塵手段を設け、前記除塵手段が前記受振部を移動または振動させることで、前記塵埃捕集手段の除塵を行う請求項１記載の電気掃除機。
【請求項７】
プリーツを、集塵部の本体からの着脱方向に対して、斜めに形成した請求項６記載の電気掃除機。
【請求項８】
複数設けた除塵手段が、プリーツの凸部全部に少なくとも同時には接触しないように配置した請求項６または７記載の電気掃除機。
【請求項９】
集塵部を本体より取り出す方向のプリーツのピッチの方が、集塵部を本体に装着する方向のプリーツのピッチより小さい請求項６〜８のいずれか１項に記載の電気掃除機。
【請求項１０】
集塵部を本体より取り出す方向のプリーツの深さの方が、集塵部を本体に装着する方向のプリーツの深さより大きい請求項６〜８のいずれか１項に記載の電気掃除機。
【請求項１１】
プリーツの深さを、集塵部を本体より取り出す方向より集塵部を本体に装着する方向に向けて、徐々に小さくなるように形成した請求項６〜８のいずれか１項に記載の電気掃除機。
【請求項１２】
除塵手段は、集塵部を本体に装着および／または本体より取り出す動作に連動して回動することで、少なくともプリーツの凸部に接触する請求項２または３記載の電気掃除機。
【請求項１３】
除塵手段は、集塵部を本体に装着および／または本体より取り出す動作に連動して回転することで、少なくともプリーツの凸部に接触する請求項２または３記載の電気掃除機。
【請求項１４】
塵埃捕集手段は表面が略平面状の通気性部材からなるとともに、前記通気性部材は受振部を少なくとも１個所以上有し、集塵部を本体に装着および／または本体から取り出すときに前記受振部に接触する除塵手段を設け、前記除塵手段が前記受振部に接触することで、前記塵埃捕集手段を振動させ、前記塵埃捕集手段の除塵を行う請求項１記載の電気掃除機。
【請求項１５】
塵埃捕集手段は表面が略平面状の通気性部材からなるとともに、前記通気性部材の近傍に受振部を少なくとも１個所以上有し、集塵部を本体に装着および／または本体から取り出すときに前記受振部に接触する除塵手段を設け、前記除塵手段が前記受振部を振動させ、前記受振部を前記塵埃捕集手段に接触させることで、前記塵埃捕集手段の除塵を行う請求項１記載の電気掃除機。
【発明の詳細な説明】
【０００１】
【発明の属する技術分野】
本発明は、集塵部の内面に付着した塵埃を、集塵部を加振することにより除塵する除塵手段を有する電気掃除機に関するものである。
【０００２】
【従来の技術】
従来の集塵部を加振することにより除塵する除塵手段を有した電気掃除機においては、電源コードを引き出す操作によって、電源コードの巻き取り機構の回転をクラッチ機構などを解して介して塵埃捕集手段へ除塵振動を伝達する構成のものであった（例えば、特許文献１、特許文献２参照）。
【０００３】
【特許文献１】
特開昭５７−１１２８４０号公報
【特許文献２】
特開昭５８−６５１２７号公報
【０００４】
【発明が解決しようとする課題】
しかしながら上記従来の、塵埃捕集手段を加振することにより除塵する除塵手段を有する電気掃除機においては、電源コードの引き出し操作による電源コード巻き取り機構の回転を、着脱可能な集塵部側へ伝達する構成を、電源コードを巻き取る際の抵抗を小さくし、巻き取り性を良好にするため、電源コードを引き出す際にだけ、塵埃捕集手段に加振力を伝達させるクラッチ機構が必要かつ複雑となり、また本体部の排気のタイト性も劣る等の欠点があった。
【０００５】
本発明は上記課題を解決するもので、簡素化した構造かつ低コストで確実に塵埃捕集手段の除塵を実現できる除塵手段を備えた電気掃除機を提供することを目的とする。
【０００６】
【課題を解決するための手段】
上記目的を達成するために本発明は、吸引風を発する電動送風機と、前記電動送風機の吸気上流側に配設され、吸引した塵埃を捕集する塵埃捕集手段を有する集塵部と、前記塵埃捕集手段の除塵を行う除塵手段と、前記電動送風機、前記集塵部、前記除塵手段を有する本体とを備え、前記集塵部は前記本体から着脱自在であるとともに、前記集塵部を前記本体に装着および／または前記本体から取り出す動作に連動して、前記除塵手段が前記塵埃捕集手段の除塵を行うもので、簡素化した構造による低コストで確実に塵埃捕集手段の除塵が実施できる除塵構造を提供することができる。
【０００７】
【発明の実施の形態】
本発明の請求項１記載の発明は、吸引風を発する電動送風機と、前記電動送風機の吸気上流側に配設され、吸引した塵埃を捕集する塵埃捕集手段を有する集塵部と、前記塵埃捕集手段の除塵を行う除塵手段と、前記電動送風機、前記集塵部、前記除塵手段を有する本体とを備え、前記集塵部は前記本体から着脱自在であるとともに、前記集塵部を前記本体に装着および／または前記本体から取り出す動作に連動して、前記除塵手段が前記塵埃捕集手段の除塵を行うもので、簡素化した構造による低コストで確実に塵埃捕集手段の除塵が実施できる除塵構造を提供することができる。
【０００８】
本発明の請求項２記載の発明は、塵埃捕集手段はプリーツ状からなる濾材からなるとともに、集塵部を本体に装着および／または本体から取り出すときに、除塵手段が前記プリーツの少なくとも凸部に接触し前記塵埃捕集手段を振動させることで、前記塵埃捕集手段の除塵を行うもので、集塵部を本体から離脱する際の離脱操作や装着する際の装着操作よって塵埃捕集手段の除塵ができる。
【０００９】
本発明の請求項３記載の発明は、プリーツは、集塵部の本体からの着脱方向に対して略垂直方向に形成され、除塵手段は、前記濾材に対向する位置で、かつ、集塵部の本体からの取り出し方向側のプリーツの凸部よりさらに前記取り出し方向側に設けられてなるもので、集塵部を本体から離脱する際に離脱操作によって塵埃捕集手段の全プリーツに渡って除塵効果を得ることができる。
【００１０】
本発明の請求項４記載の発明は、集塵部の本体からの着脱方向に摺動可能に、除塵手段はガイド体に取着され、本体には前記除塵手段に係合する保持部を設けたもので、集塵部を本体から離脱する際に離脱操作によって塵埃捕集手段の除塵ができ、さらに離脱後にも除塵手段を手動操作することによって除塵操作することもできる。
【００１１】
本発明の請求項５記載の発明は、集塵部の本体からの着脱方向に回転可能に形成されたベルトに除塵手段を少なくとも１個所以上設け、本体には前記ベルトを回転させる固定部を設けたもので、集塵部を本体から離脱する際の離脱操作や装着する際の装着操作よって除塵効果を増大させることができる。
【００１２】
本発明の請求項６記載の発明は、受振部をプリーツ部に取着し、集塵部を本体に装着および／または本体から取り出すときに前記受振部に接触する除塵手段を設け、前記除塵手段が前記受振部を移動または振動させることで、前記塵埃捕集手段の除塵を行うもので、除塵手段とプリーツの干渉による抵抗力を分散させて、集塵部の離脱使用性を向上させる。
【００１３】
本発明の請求項７記載の発明は、プリーツを、集塵部の本体からの着脱方向に対して、斜めに形成したもので、除塵手段とプリーツの干渉による抵抗力を分散させて、集塵部の離脱使用性を向上させることができ、使い勝手の向上を図ることができる。
【００１４】
本発明の請求項８記載の発明は、複数設けた除塵手段が、プリーツの凸部全部に少なくとも同時には接触しないように配置したもので、塵埃捕集手段の除塵振動を与えるポイントを多点にすることによる除塵効果増大と、集塵部の本体からの離脱使用性を向上させることができる。
【００１５】
本発明の請求項９記載の発明は、集塵部を本体より取り出す方向のプリーツのピッチの方が、集塵部を本体に装着する方向のプリーツのピッチより小さいもので、塵埃捕集手段を振動させて除塵した後、落下した塵埃が下側のプリーツの間に詰まりにくくして、塵埃の廃棄をしやすくすることができる。
【００１６】
本発明の請求項１０記載の発明は、集塵部を本体より取り出す方向のプリーツの深さの方が、集塵部を本体に装着する方向のプリーツの深さより大きいもので、塵埃捕集手段を振動させて除塵した後、落下した塵埃が下側のプリーツの間に詰まりにくくして、塵埃の廃棄をしやすくすることができる。
【００１７】
本発明の請求項１１記載の発明は、プリーツの深さを、集塵部を本体より取り出す方向より集塵部を本体に装着する方向に向けて、徐々に小さくなるように形成したもので、塵埃捕集手段を振動させて除塵した後、落下した塵埃が下側のプリーツの間に詰まりにくくして、さらに集塵部内へ塵埃を落下させやすくし、塵埃の廃棄をしやすくすることができる。
【００１８】
本発明の請求項１２記載の発明は、除塵手段は、集塵部を本体に装着および／または本体より取り出す動作に連動して回動することで、少なくともプリーツの凸部に接触するもので、除塵手段の塵埃捕集手段への衝撃力を増大させて、塵埃捕集手段の除塵効果を向上させることができる。
【００１９】
本発明の請求項１３記載の発明は、除塵手段は、集塵部を本体に装着および／または本体より取り出す動作に連動して回転することで、少なくともプリーツの凸部に接触するもので、除塵手段の塵埃捕集手段への衝撃力を増大させて、塵埃捕集手段の除塵効果を向上させることができるとともに、集塵部の着脱操作性を良好にすることができる。
【００２０】
本発明の請求項１４記載の発明は、塵埃捕集手段は表面が略平面状の通気性部材からなるとともに、前記通気性部材は受振部を少なくとも１個所以上有し、集塵部を本体に装着および／または本体から取り出すときに前記受振部に接触する除塵手段を設け、前記除塵手段が前記受振部に接触することで、前記塵埃捕集手段を振動させ、前記塵埃捕集手段の除塵を行うもので、略平面状の塵埃捕集手段の構造であっても除塵効果を向上することができる。
【００２１】
本発明の請求項１５記載の発明は、塵埃捕集手段は表面が略平面状の通気性部材からなるとともに、前記通気性部材の近傍に受振部を少なくとも１個所以上有し、集塵部を本体に装着および／または本体から取り出すときに前記受振部に接触する除塵手段を設け、前記除塵手段が前記受振部を振動させ、前記受振部を前記塵埃捕集手段に接触させることで、前記塵埃捕集手段の除塵を行うもので、除塵機構の簡素化が図れ、より安価にすることができる。
【００２２】
【実施例】
（実施例１）
以下、本発明の第１の実施例を、図１〜図７を用いて説明する。
【００２３】
図１は電気掃除機全体の構成を示し、電気掃除機は延長管５に取り付けた塵埃を吸引する吸込具６を有し、前記延長管５は手元操作部２とホース接続部３付きのホース４とを介して掃除機本体１（以下、本体１とする）に連結されている。本体１は、枢支された１個の前輪キャスター７と一対の後輪８とを備えている。
【００２４】
図２に示すように、本体１は、後方部側に電動送風機１２と手元操作部２の操作により運転動作を制御する制御回路４１、さらにその上方には家庭電源から電力を供給するための電源コード１０を巻き取るためのコードリール１１を備えている。
【００２５】
本体１の前方側には内部が目視できるように透明の集塵部１８が装着されている。ここで、電動送風機１２を運転すると、吸気力が発生して、ホース４を通じて吸引された空気と塵埃が吸気口２５から集塵部１８の通気流路２６を通り、１次フィルター３０を備えた集塵部１８内で、１次フィルター３０を中心にした旋回気流で粗い塵埃が遠心分離され、１次フィルター３０を通過した微細塵は後方の塵埃捕集手段である集塵フィルター５１で捕らえて、空気だけが集塵フィルター５１後方の吸気部３５を通り、電動送風機１２へと通過する。電動送風機１２を通過した空気は本体１の後方あるいは側面などに設けられた排気口（図示せず）から排出される。次に、図３に示すように、集塵部１８内に塵埃が溜り、塵埃を廃棄する際には集塵部１８の握り部２７を持ち、先ず本体１から集塵部１８を取り外し、図４に示すように集塵部１８の蓋体２１を開いて塵埃を排出するものである。
【００２６】
図５に示すように、集塵フィルター５１は、不織布やろ紙などを山谷に折ることによるプリーツ５２を本体１からの集塵部１８の取り出し方向に対して略垂直方向に構成している。このプリーツ５２の吸気の下流側の山に干渉する除塵手段５３が、図６に示すように本体１の前壁５４に設けられている。
【００２７】
次に、上記構成における動作、作用について説明する。
【００２８】
図７に示すように、集塵部１８に溜まった塵埃を廃棄するために、集塵部１８を本体１から取り出そうとすると、集塵フィルター５１のプリーツ５２が除塵手段５３に干渉してプリーツ５２を振動させて、付着した細塵をふるい落とすことができる。その後、集塵部１８の蓋体２１を開いて塵埃を排出すると、集塵フィルター５１からふるい落とした細塵をも廃棄することができる。集塵フィルター５１の表面に細塵が堆積していくと、電動送風機１２への吸気流の通気抵抗が増大して、電気掃除機としての集塵性能の低下を招くことになるが、この集塵性能低下を防止することができる。なお、集塵部１８を本体１に装着するときにも、集塵フィルター５１のプリーツ５２が除塵手段５３に干渉してプリーツ５２を振動させて、付着した細塵をふるい落とすことができる。
【００２９】
集塵部１８を塵埃廃棄後、再び本体１に装着して電動送風機１２を運転状態にすると、集塵フィルター５１に付着した細塵がふるい落とされているため、電動送風機１２の吸気性能を有効に発揮することができ、集塵性能を復帰させることができる。
【００３０】
（実施例２）
次に、本発明の第２の実施例を、図８を用いて説明する。なお、第１の実施例とに対し、集塵部１８の蓋体２１側にガイド体５６とガイド体５６に沿って摺動可能に除塵手段５３が設けられたものである。除塵手段５３のつまみ部５７は本体側に設けた保持部（図示せず）に係合している。
【００３１】
上記構成による作用は、集塵部１８を本体１から取り出す操作によって集塵フィルター５１を除塵手段５３でたたいて除塵することができる。さらに、集塵部１８を本体１から取り出した後も、さらに手動で除塵手段５３のつまみ部を指先でつまんでスライドさせることによって、集塵フィルター５１の除塵を行うことができる。
【００３２】
（実施例３）
次に、本発明の第３の実施例を、図９と図１０を用いて説明する。なお、上記実施例と同一構成部品については同一符号を付してその説明を省略する。
【００３３】
集塵フィルター５１の枠体７０と一体に形成した上下２箇所の軸支部５８の間に回転自在に設けたタイミングベルト状のベルト５９を設けている。このベルト５９には、除塵手段５３が複数設けられている。本体１の前壁５４には、前記ベルト５９に係合する歯型を有した保持部６０を設けている。
【００３４】
上記構成による作用は、集塵部１８を本体１から取り出し、また、装着する操作によって集塵フィルター５１を除塵手段５３でたたいて除塵することができる。
【００３５】
（実施例４）
次に、本発明の第４の実施例を、図１１から図１６を用いて説明する。なお、上記実施例と同一構成部品については同一符号を付してその説明を省略する。
【００３６】
集塵フィルター５１の濾材部のプリーツ５２は集塵部１８の本体１からの取り出し方向に対して略並行に構成されている。さらに、プリーツ５２の本体１の前壁側の山部に硬質の材料からなる受振部６１が設けられている。受振部６１は樹脂成形によるインサート成形や接着あるいは溶着によって構成することができる。本体１の前壁５４には、集塵部１８を本体１に対して着脱しようとすると、受振部６１に接触するように傾斜をさせた除塵手段５３を設けている。
【００３７】
上記構成による作用は、集塵部１８を本体１から取り出し、また、装着する操作によって、図１３、図１４に示すように集塵フィルター５１の受振部６１を除塵手段５３が左右方向に移動させ、受振部６１が除塵手段５３を乗り越すとプリーツ５２の復元力によって振動を起こして、除塵することができる。また、図１５に示すように、受振部６１を上下にずらせて配置することによって、除塵手段５３との接触による取り出し装着に必要とする力を分散させて軽減することができる。これは、受振部６１の位置は上下同一で、除塵手段５３を上下にずらすことでも同じ効果を得ることが可能である。またさらに、図１６に示すように集塵フィルター５１を傾斜させて、除塵手段５３を集塵部１８の取り出し方向に対して略並行に設けても同様である。
【００３８】
（実施例５）
次に、本発明の第５の実施例を、図１７から図１９を用いて説明する。なお、上記実施例と同一構成部品については同一符号を付してその説明を省略する。
【００３９】
集塵フィルター５１の濾材部のプリーツ５２は集塵部１８の本体１からの取り出し方向に対して略並行に構成されている。さらに、プリーツ５２の上方のピッチａより下方のピッチｂを大きくしている。
【００４０】
上記構成による作用は、塵埃捕集手段の除塵をおこなった際に、下方に落下した細塵がプリーツ５２の間に詰まりにくく、塵埃を廃棄するときに排出させやすくすることができるものである。図１８はプリーツ５２の上方の深さｃより下方の深さｄを小さくしている。図１９は下方を略フラット形状にしている。これにより、さらに塵埃を廃棄するときに排出させやすくすることができるものである。
【００４１】
（実施例６）
次に、本発明の第６の実施例を、図２０から図２３を用いて説明する。なお、上記実施例と同一構成部品については同一符号を付してその説明を省略する。
【００４２】
図２０、図２１において本体１の前壁５４に形成した軸部６３に除塵手段５３を回動自在に、付勢手段であるねじりばね６４で下方向にばね力の付勢をして設けている。
【００４３】
上記構成による作用は、集塵部１８を本体１から取り出す際に、プリーツ５２で除塵手段５３の先６２が押し上げられて、プリーツ５２が乗り越すとばね圧によって下側へ復元されて勢いよくプリーツ５２をたたき、集塵フィルター５１の除塵をするものである。
【００４４】
図２２、図２３は本体１の前壁５４に形成した軸部６３に除塵手段５３を回動自在に保持されて、板ばね７５を除塵手段５３の径小部分に沿わせるように配置している。図２３（ｂ）に示すように除塵手段５３の先６２が、集塵フィルター５１のプリーツ５２によって回転させられると、板ばね７５が変形させられて、押し上げたプリーツ５２が通過すると、板ばね７５の復元によってプリーツ５２によって回転させられた方向と同じ方向に勢いよく回転して、次のプリーツ５２をたたいて除塵するものである。
【００４５】
（実施例７）
次に、本発明の第７の実施例を、図２４と図２５を用いて説明する。なお、上記実施例と同一構成部品については同一符号を付してその説明を省略する。
【００４６】
表面が略平面状の通気性のあるウレタンスポンジやろ紙、あるいは不織布などからなる集塵フィルター６５の表面の場合に、部分的に受振部６６を設けて、これに本体１から集塵部１８を着脱する際に、本体１側に設けた除塵手段５３を干渉させるものである。前記受振部６６は、接着や溶着などによって突出状に設けることができる。
【００４７】
上記構成による作用は、集塵部１８を本体１から取り出す際に除塵手段５３が受振部６６をたたき、振動によって集塵フィルター６５の除塵をするものである。
【００４８】
図２５は、集塵部１８の蓋体２１に設けたコイルバネ６７は、左右端保持部６８にて保持されており、コイルバネ６７の外周に硬質のリング状の受振部６６を通し設けている。本体１から集塵部１８を離脱する際にコイルバネに係合保持するように除塵手段５３を本体１に配置させることによって、コイルバネをイのように伸ばした後、はじくことで、受振部６６が集塵フィルター６５の表面をたたき、除塵することができるものである。
【００４９】
【発明の効果】
本発明によれば、簡素化した構造かつ低コストで確実に塵埃捕集手段の除塵を実現できる除塵手段を備えた電気掃除機を提供できる。
【図面の簡単な説明】
【図１】本発明の第１の実施例を示す電気掃除機の全体外観図
【図２】同掃除機本体の側断面図
【図３】同掃除機の集塵部離脱操作図
【図４】同掃除機の集塵部からの塵埃廃棄操作図
【図５】同掃除機の集塵部と塵埃捕集手段の外観図
【図６】同掃除機の集塵部離脱状態の外観図
【図７】同掃除機の塵埃捕集手段の除塵動作図
【図８】本発明の第２の実施例を示す集塵部と塵埃捕集手段の外観図
【図９】本発明の第３の実施例を示す集塵部と塵埃捕集手段の外観図
【図１０】同掃除機の集塵部離脱状態の外観図
【図１１】本発明の第４の実施例を示す集塵部と塵埃捕集手段の外観図
【図１２】同掃除機の集塵部離脱状態の外観図
【図１３】図１１のＡ部拡大図
【図１４】図１１のＡ部拡大図（プリーツ移動状態）
【図１５】本発明の第４の実施例の別事例を示す図１１のＡ部拡大図
【図１６】本発明の第４の実施例のさらに別事例を示す図１１のＡ部拡大図
【図１７】本発明の第５の実施例を示す集塵部と塵埃捕集手段の外観図
【図１８】本発明の第５の実施例の別事例示す集塵部と塵埃捕集手段の外観図
【図１９】本発明の第５の実施例のさらに別事例示す集塵部と塵埃捕集手段の外観図
【図２０】本発明の第６の実施例を示す掃除機本体の側断面図
【図２１】同掃除機本体の側断面ｇ部拡大図
【図２２】本発明の第６の実施例の別事例を示す掃除機本体の側断面図
【図２３】（ａ）同掃除機本体の側断面ｈ部拡大図
（ｂ）同掃除機本体の側断面ｈ部拡大図（除塵手段回転状態）
【図２４】本発明の第７の実施例を示す集塵部と塵埃捕集手段の外観図
【図２５】本発明の第７の実施例の別事例を示す集塵部と塵埃捕集手段の外観図
【符号の説明】
１  本体
１２  電動送風機
１８  集塵部
２１  蓋体
５１  塵埃捕集手段
５２  プリーツ
５３  除塵手段
【図１】
2004358031.tif 000003
【図２】
2004358031.tif 000004
【図３】
2004358031.tif 000005
【図４】
2004358031.tif 000006
【図５】
2004358031.tif 000007
【図６】
2004358031.tif 000008
【図７】
2004358031.tif 000009
【図８】
2004358031.tif 000010
【図９】
2004358031.tif 000011
【図１０】
2004358031.tif 000012
【図１１】
2004358031.tif 000013
【図１２】
2004358031.tif 000014
【図１３】
2004358031.tif 000015
【図１４】
2004358031.tif 000016
【図１５】
2004358031.tif 000017
【図１６】
2004358031.tif 000018
【図１７】
2004358031.tif 000019
【図１８】
2004358031.tif 000020
【図１９】
2004358031.tif 000021
【図２０】
2004358031.tif 000022
【図２１】
2004358031.tif 000023
【図２２】
2004358031.tif 000024
【図２３】
2004358031.tif 000025
【図２４】
2004358031.tif 000026
【図２５】
2004358031.tif 000027